(57)【要約】【課題】乗物の高さ方向においてシートの位置を調整するために設けられた位置調整装置をよりコンパクト化し、かつ、より効率よくシートの位置を調整する。【解決手段】高さ方向においてシートの位置を調整するデバイス２０が、シートを支持するシート支持プレート３０と、シートの位置を調整する際にシート支持プレート３０と一体的に回動する回動リンク４０と、を有する。シート支持プレート３０は、シートに乗員が着座したときに該乗員の臀部の直下に位置する前方部３１と、前方部３１よりも後側に位置する後方部３２と、を有し、回動リンク４０は、前後方向において異なる位置に設けられた前側リンク４１及び後側リンク４２を有する。前側リンク４１及び後側リンク４２は、前方部３１に取り付けられており、前方部３１の横幅が後方部３２の横幅よりも短い。【選択図】図４
2019038508.tif 000002
【特許請求の範囲】
【請求項１】
乗物の乗員が着座する鞍乗り型のシートと、
前記乗物の高さ方向において前記シートの位置を調整する位置調整装置と、を有し、
前記位置調整装置は、前記シートを載せた状態で前記シートを支持する板状の支持部材と、前記シートの位置を調整する際に前記支持部材と一体的に回動する回動リンクと、を有し、
前記支持部材は、前記シートに乗員が着座したときに該乗員の臀部の直下に位置する前方部と、前記乗物の前後方向において前記前方部よりも後側に位置する後方部と、を有し、
前記回動リンクは、前記前後方向において異なる位置に設けられた前側リンク及び後側リンクを有し、
前記前側リンク及び前記後側リンクは、前記前方部に取り付けられており、
前記乗物の横幅方向における前記前方部の幅は、前記横幅方向における前記後方部の幅よりも短いことを特徴とするシート装置。
【請求項２】
前記シートは、底部をなすボトムプレートを有し、
該ボトムプレートは、爪状に延出した爪状部と、前記支持部材に固定される２つの被固定部を備え、
前記支持部材の前端部には、前記爪状部と係合する前側係合部が設けられ、
前記支持部材の後端部には、前記被固定部を固定するために形成された２つの固定部が設けられていることを特徴とする請求項１に記載のシート装置。
【請求項３】
前記固定部の各々には、前記乗物の車体から前記シートへ振動が伝達するのを抑制するための弾性部材を介して前記被固定部が固定されていることを特徴とする請求項２に記載のシート装置。
【請求項４】
前記シートは、底部をなすボトムプレートを有し、
前記ボトムプレートには、突出するように延出した延出部を複数有し、
前記支持部材には、前記延出部と係合する係合部が、前記前後方向において異なる位置に、前記延出部と同じ数だけ形成されていることを特徴とする請求項１乃至３のいずれか一項に記載のシート装置。
【請求項５】
前記シートは、着座面を有し、
前記前方部の、前記高さ方向における前記着座面により近い側の端面が平坦面であり、
前記後方部の、前記高さ方向において前記着座面により近い側の端面が、後方に向かうにつれて前記着座面に近づくように傾斜した傾斜面であることを特徴とする請求項１乃至４のいずれか一項に記載のシート装置。
【請求項６】
前記平坦面は、前記高さ方向を法線方向とする平面であることを特徴とする請求項５に記載のシート装置。
【請求項７】
前記支持部材は、前記前後方向において前記前方部よりも前側で前記前方部と隣接する隣接部を有し、
該隣接部は、前記前後方向の前方に向かうにつれて前記着座面に近づくように傾斜していることを特徴とする請求項５又は６に記載のシート装置。
【請求項８】
前記シートの位置は、第一位置から第二位置までの範囲内において調整され、
前記高さ方向において、前記第二位置は、前記第一位置よりも前記乗物が接地している地面から離れた位置であり、
前記前側リンク及び前記後側リンクの各々の傾き度合いは、前記シートの位置が前記第一位置から前記第二位置に向かうにつれて変化することを特徴とする請求項１乃至７のいずれか一項に記載のシート装置。
【請求項９】
前記前後方向において、前記第二位置は、前記第一位置よりも後方位置であることを特徴とする請求項８に記載のシート装置。
【請求項１０】
前記前後方向において、前記第二位置は、前記第一位置よりも前方位置であることを特徴とする請求項８に記載のシート装置。
【請求項１１】
前記位置調整装置は、前記支持部材及び前記回動リンクを含む前記位置調整装置の構成機器をユニットとして一体化したものであり、前記乗物の車体に対して着脱可能な状態で取り付けられていることを特徴とする請求項１乃至１０のいずれか一項に記載のシート装置。
【発明の詳細な説明】
【技術分野】
【０００１】
本発明は、乗物の乗員が着座する鞍乗り型のシートを有するシート装置に係り、特に、乗物の高さ方向においてシートの位置を調整することが可能なシート装置に関する。
【背景技術】
【０００２】
自動二輪車等の乗物において鞍乗り型のシート（座席）が可動である構成は、既に知られている。例えば、特許文献１に記載の自動二輪車では、座席の前部を上下させる駆動機構（前部駆動機構）と、座席の後部を上下させる駆動機構（後部駆動機構）と、が設けられている。これらの駆動機構は、駆動モータと、駆動モータの動きに連動するリンクと、を有する。そして、駆動モータが回転し、これに連動する形でリンクが回動することにより、シート各部の高さが変化する。
【０００３】
また、特許文献１の自動二輪車では、座席の前部及び後方に対して駆動機構が別々に設けられている。このため、座席の前部及び後方では、それぞれの高さを独立して調整することが可能となる。この結果、座席の外形を三次元で自在に変更することが可能となる。
【先行技術文献】
【特許文献】
【０００４】
【特許文献１】特許第４７３７５４８号公報
【発明の概要】
【発明が解決しようとする課題】
【０００５】
ところで、シートが可動となっている構成では、特許文献１に記載の駆動機構（前部駆動機構及び後部駆動機構）と同様の装置、すなわち、シートの位置を調整させる装置が設けられている。かかる装置は、よりコンパクト化され、さらに、乗物の乗員がシートに着座している状態において効率よくシート位置を調整し得るものであることが望ましい。
【０００６】
そこで、本発明は、上記の問題に鑑みてなされたものであり、その目的は、乗物の高さ方向においてシート位置を調整するために設けられた位置調整装置をよりコンパクト化し、かつ、より効率よくシート位置を調整することが可能なシート装置を提供することである。
【課題を解決するための手段】
【０００７】
前記課題は、本発明のシート装置によれば、乗物の乗員が着座する鞍乗り型のシートと、前記乗物の高さ方向において前記シートの位置を調整する位置調整装置と、を有し、前記位置調整装置は、前記シートを載せた状態で前記シートを支持する板状の支持部材と、前記シートの位置を調整する際に前記支持部材と一体的に回動する回動リンクと、を有し、前記支持部材は、前記シートに乗員が着座したときに該乗員の臀部の直下に位置する前方部と、前記乗物の前後方向において前記前方部よりも後側に位置する後方部と、を有し、前記回動リンクは、前記前後方向において異なる位置に設けられた前側リンク及び後側リンクを有し、前記前側リンク及び前記後側リンクは、前記前方部に取り付けられており、前記乗物の横幅方向における前記前方部の幅は、前記横幅方向における前記後方部の幅よりも短いことにより解決される。
【０００８】
上記のように構成された本発明のシート装置では、シートを載せた状態でシートを支持する板状の支持部材の前方部に、前側リンク及び後側リンクが組み付けられている。また、前方部は、シートに乗員が着座したときに当該乗員の臀部の直下に位置している。これにより、シート位置を調整する際には、乗員の臀部が乗った前方部を各回動リンクの回動動作に連動させて動かすことになる。この結果、シート位置の調整がより効率よく（スムーズに）行われるようになる。
さらに、乗物の横幅方向における前方部の幅は、板状部材の後方部の幅よりも短くなっている。これにより、回動リンクが取り付けられた支持部材の前方部周りを省スペース化（コンパクト化）することが可能となる。
【０００９】
また、上記のシート装置において、前記シートは、底部をなすボトムプレートを有し、該ボトムプレートは、爪状に延出した爪状部と、前記支持部材に固定される２つの被固定部を備え、前記支持部材の前端部には、前記爪状部と係合する前側係合部が設けられ、前記支持部材の後端部には、前記被固定部を固定するために形成された２つの固定部が設けられているとよい。
上記の構成では、シートのボトムプレートに形成された爪状部と２つの被固定部が、それぞれ支持部材の固定部に固定されている。これにより、より少ない固定箇所にてシートを支持部材に固定することが可能となる。
【００１０】
また、より好適には、前記固定部の各々には、前記乗物の車体から前記シートへ振動が伝達するのを抑制するための弾性部材を介して前記被固定部が固定されているとよい。
上記の構成では、シートのボトムプレートに設けられた被固定部が弾性部材を介して支持部材の固定部に固定されている。これにより、乗物の走行中、乗物の車体からシートへ振動が伝達するのを抑制し、シートの乗り心地を向上させることが可能となる。
【００１１】
また、上記のシート装置において、前記シートは、底部をなすボトムプレートを有し、前記ボトムプレートには、突出するように延出した延出部を複数有し、前記支持部材には、前記延出部と係合する係合部が、前記前後方向において異なる位置に、前記延出部と同じ数だけ形成されているとよい。
上記の構成では、シートのボトムプレートに複数形成された延出部が、それぞれ支持部材に設けられた複数の係合部のうち、対応する係合部と係合している。これにより、シートを支持部材に固定する（組み付ける）際に、支持部材に対してシートを位置決めすることが可能となる。この結果、シートが支持部材に適切に固定されるようになる。
【００１２】
また、上記のシート装置において、前記シートは、着座面を有し、前記前方部の、前記高さ方向における前記着座面により近い側の端面が平坦面であり、前記後方部の、前記高さ方向において前記着座面により近い側の端面が、後方に向かうにつれて前記着座面に近づくように傾斜した傾斜面であるとよい。
上記の構成では、前方部の上面（着座面により近い側の面）が平坦面である。これにより、乗員がシートに着座した際に、前方部が当該乗員の荷重を適切に受け止めるようになる。さらに、後方部の上面（着座面により近い側の面）が、後方に向かうに連れて上方に位置するように傾斜した面であるため、乗員の着座姿勢を安定させることが可能となる。
【００１３】
また、より好適には、前記平坦面は、前記高さ方向を法線方向とする平面であるとよい。
上記の構成では、乗員の荷重を受け止める面（平坦面）が乗物の高さ方向を法線方向とする平面となっている。これにより、前方部が乗員の荷重を適切に受け止めるという効果を、より有効に発揮させることが可能となる。
【００１４】
また、上記のシート装置において、前記支持部材は、前記前後方向において前記前方部よりも前側で前記前方部と隣接する隣接部を有し、該隣接部は、前記前後方向の前方に向かうにつれて前記着座面に近づくように傾斜しているとよい。
上記の構成では、支持部材において前方部よりも前側に位置する隣接部が、前方に向かうにつれて上方に位置するように傾斜している。これにより、乗物の走行速度が減少した際に慣性によって乗員が前方に移動してしまうのを、隣接部によって抑制することが可能となる。
【００１５】
また、上記のシート装置において、前記シートの位置は、第一位置から第二位置までの範囲内において調整され、前記高さ方向において、前記第二位置は、前記第一位置よりも前記乗物が接地している地面から離れた位置であり、前記前側リンク及び前記後側リンクの各々の傾き度合いは、前記シートの位置が前記第一位置から前記第二位置に向かうにつれて変化するとよい。
上記の構成では、前側リンク及び後側リンクの各々の状態が前傾状態から後方に向かって回動することでシートが第一位置から第二位置へ移動する。これにより、比較的簡単な構成にてシートの位置を調整することが可能となる。
【００１６】
また、より好適には、前記前後方向において、前記第二位置は、前記第一位置よりも後方位置であるとよい。
上記の構成では、シートが第一位置から第二位置へ移動する際には斜め後方に移動する。このような移動経路をシートがたどることにより、シートがその周辺機器と干渉してしまう状況を回避し易くなる。また、上記の構成によれば、シート位置を上昇させる際にシートを真上に移動させる構成と比較してシートを移動させ易くなる。
【００１７】
あるいは、前記前後方向において、前記第二位置は、前記第一位置よりも前方位置であってもよい。
上記の構成では、シートが第一位置から第二位置へ移動する際には斜め前方に移動する。このような構成であれば、シートの斜め上方に配置された部材（例えば燃料タンク）とシートとの間のスペースを狭めることができ、結果として、シート装置周辺の外観性（見栄え）が良好なものとなる。
【００１８】
また、上記のシート装置において、前記位置調整装置は、前記支持部材及び前記回動リンクを含む前記位置調整装置の構成機器をユニットとして一体化したものであり、前記乗物の車体に対して着脱可能な状態で取り付けられているとよい。
上記の構成では、位置調整装置を構成する機器がユニットとして一体化されており、乗物の車体に対して着脱可能な状態で取り付けられている。これにより、位置調整装置の取り扱いや交換作業等がより簡単になる。
【発明の効果】
【００１９】
本発明のシート装置によれば、シート位置の調整がより効率よく行われる。また、回動リンクの取り付けられている箇所周辺が省スペース化される。
また、本発明のシート装置によれば、より少ない固定箇所にてシートを支持部材に固定することが可能となる。
また、本発明のシート装置によれば、乗物の走行中、乗物の車体からシートへ振動が伝達するのを抑制し、シートの乗り心地を向上させることが可能となる。
また、本発明のシート装置によれば、シートを支持部材に固定する際に、支持部材に対してシートを位置決めして適切に固定することが可能となる。
また、本発明のシート装置によれば、乗員がシートに着座した際に当該乗員の荷重を適切に受け止め、また、乗員の着座姿勢を安定させることが可能となる。
また、本発明のシート装置によれば、乗員の荷重を受け止める面（平坦面）が乗物の高さ方向を法線方向とする平面であることで、前方部が乗員の荷重を適切に受け止めて乗員の着座姿勢を安定させるという効果を、より有効に発揮させることが可能となる。
また、本発明のシート装置によれば、乗物の走行速度が減少した際に慣性によって乗員が前方に移動してしまうのを抑制することが可能となる。
また、本発明のシート装置によれば、比較的簡単な駆動機構を用いてシートの位置を調整することが可能となる。
また、本発明のシート装置によれば、シートが第一位置から第二位置に向かって斜め後方に移動することで、シートがその周辺機器と干渉してしまう状況を回避し易くなる。また、シート位置を上昇させる際にシートを真上に移動させる構成と比較して、より簡単にシートを移動させることが可能となる。
また、本発明のシート装置によれば、シートが第一位置から第二位置に向かって斜め前方に移動することで、シートの斜め上方に配置された部材とシートとの間のスペースを狭めることができ、シート装置周辺の外観性が良好なものとなる。
また、本発明のシート装置によれば、位置調整装置の構成機器がユニットとして一体化されており、乗物の車体に対して着脱可能であるため、位置調整装置の取り扱いや交換作業等がより簡単になる。
【図面の簡単な説明】
【００２０】
【図１】本発明の一実施形態に係るシート装置を搭載した自動二輪車を示す図である。
【図２】車体に取り付けられた状態の位置調整装置を示す図である。
【図３】位置調整装置の分解図である。
【図４】車体において位置調整装置を取り付けられる部分を示す図である。
【図５】シートのボトムプレートが支持部材に係合している状態を示す図である。
【図６】シートのボトムプレートが支持部材に固定されている状態を示す図である。
【図７】シートの位置が第一位置にあるときの位置調整装置の状態を示す図である。
【図８】シートの位置が第二位置にあるときの位置調整装置の状態を示す図である。
【図９】シート前端と車体との間に設けられている隙間塞ぎ材を示す模式図である。
【図１０】シート側部に設けられたカバープレートを示す図である。
【図１１】図１０中のＡ−Ａ断面を示す図である。
【図１２】シート装置の制御機構を示すブロック図である。
【図１３】シート位置調整の自動制御フローの一例を示す図である。
【図１４】変形例に係るシート位置調整についての説明図である（その１）。
【図１５】変形例に係るシート位置調整についての説明図である（その２）。
【図１６】変形例に係る位置調整装置の分解図である。
【図１７】変形例に係る位置調整装置を車体に取り付ける構成を示す図である。
【図１８】シート及びその周辺機器の構成を示す図である。
【発明を実施するための形態】
【００２１】
以下、本発明の一実施形態（本実施形態）について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは、勿論である。
【００２２】
なお、以下の実施形態では、自動二輪車を「乗物」の一例に挙げて説明する。ただし、これに限定されるものではなく、鞍乗り型のシートを有する乗物において本発明は、適用可能である。
【００２３】
ちなみに、以下の説明において、「前後方向」とは、乗物の前後方向であり、乗物の走行方向と一致する。また、「横幅方向」とは、乗物の横幅方向であり、乗物の乗員から見たときの左右方向と一致する。また、「高さ方向」とは、乗物の高さ方向であり、乗物が水平面上に直立している状態では鉛直方向と一致する。
【００２４】
また、以下の説明中、各機器や各装置の向きや位置等は、特に断る場合を除き、乗物が水平面上に直立している状態での向きや位置等であることとする。
【００２５】
＜＜本実施形態に係るシート装置の概略構成＞＞
先ず、本実施形態に係るシート装置（以下、シート装置１０）の概略構成について図１及び図２を参照しながら説明する。なお、図１では、図示の便宜上、後述のデバイス２０を模式的に図示している。
【００２６】
シート装置１０は、図１に図示したように自動二輪車１にセットされて利用される。ここで、自動二輪車１は、後述するデバイス２０を備える点を除き、一般的な自動二輪車と同様の構成を有している。
【００２７】
シート装置１０は、乗物の乗員が着座する鞍乗り型のシート２を有する。このシート２は、一般的な構成の着座シートであり、その上面に着座面２ａを有する。また、シート２は、自動二輪車１の車体３に対して着脱自在な状態で車体３に取り付けられている。具体的に説明すると、車体３には不図示の取り付け孔が形成されており、シート２は、この取り付け孔を利用して車体３に取り付けられ、また、上記の取り付け孔に挿入されたボルトを外すことで取り外し可能である。
【００２８】
シート装置１０は、図１に示すように、シート２の直下位置にデバイス２０を備えている。このデバイス２０は、位置調整装置に相当し、高さ方向においてシート２を調整するものである。より具体的に説明すると、本実施形態に係るシート装置１０では、デバイス２０の機能によりシート２を高さ方向において移動させることが可能である。これにより、シート着座者である乗員の好みに応じてシート高さを調整したり、自動二輪車１の走行状況に応じて調整したりすることが可能となる。このような機能により、例えば比較的大柄な乗員がシート２に着座した場合、シート位置を上昇させることにより、当該乗員と標準的な体格の乗員との体格差を吸収することができるようになる。
【００２９】
デバイス２０は、図２に示すように、自動二輪車１の車体３の所定部位、厳密に説明すると、本来はシート２が取り付けられる部位に取り付けられている。また、デバイス２０は、車体３に対して着脱可能な状態で車体３に取り付けられている。より具体的に説明すると、デバイス２０は、シート２を取り付けるために車体３に形成された上記の取り付け孔を利用して、車体３に取り付けられる。また、デバイス２０は、シート２が組み付け可能に構成されている。そして、本実施形態では、シート２がデバイス２０を介して車体３に取り付けられている。すなわち、車体３に取り付けられた状態のデバイス２０にシート２が組み付けられることで、シート２が車体３に取り付けられるようになる。
【００３０】
なお、デバイス２０については、自動二輪車用の座席シートとして標準的なシート２が組み付け可能である。したがって、デバイス２０は、既製品である標準的な自動二輪車１に対して取り付け可能（転用可能）である。そして、既製品である自動二輪車１にデバイス２０を取り付けることで、当該自動二輪車１にシート位置調整の機能が付与されるようになる。
【００３１】
＜＜シート装置１０の詳細構成＞＞
次に、シート装置１０のメカ構成について図３乃至図１１を参照しながら詳しく説明する。シート装置１０は、前述したように、シート２とデバイス２０とを有している。デバイス２０は、図３に図示の機器（厳密には、シート支持プレート３０、回動リンク４０、リンク支持プレート５０、ベースプレート５２及びモータ装置６０）によって構成されている。なお、本実施形態において、上述したデバイス２０の構成機器は、機器同士が結合されることで一つのユニットをなしている。すなわち、本実施形態に係るデバイス２０は、その構成機器をユニットとして一体化したものである。デバイス２０の構成については、後に詳しく説明する。
【００３２】
シート２は、一般的な自動二輪車用のシートと同様の構成である。具体的に説明すると、シート２は、図５や図７等に図示のボトムプレート２ｂを有する。ボトムプレート２ｂは、シート２の底部をなし、その上に不図示のクッション材が載せられる。そして、ボトムプレート２ｂ上のクッション材が表皮材によって覆われることでシート２が完成する。なお、シート２は、前側席（フロント部）と後側席（リア部）とに分かれている。
【００３３】
また、ボトムプレート２ｂは、シート２をデバイス２０に取り付けるために設けられた部分を複数有している。図５及び図６を参照しながら詳しく説明すると、ボトムプレート２ｂは、図５に示すように、外側に向かって突出するように延出した延出部を２つ有している。一つの延出部は、ボトムプレート２ｂの前端から前方に向かって爪状に延出した爪状部２ｃである。もう一つの延出部は、ボトムプレート２ｂの底面の後端よりも幾分前側に設けられた後側突起２ｄである。この後側突起２ｄは、下方に向かって延出しており、厳密には、後方に向かうほど下方に位置するように傾斜している。
【００３４】
さらに、ボトムプレート２ｂの後端部には、図６に図示の被固定部２ｅが設けられている。この被固定部２ｅは、シート２を後述のシート支持プレート３０に取り付けるにあたって当該シート支持プレート３０に固定される部分であり、ボトムプレート２ｂの底面の後部から下方に向かって延出している。なお、本実施形態において、ボトムプレート２ｂは、被固定部２ｅを２つ備えている。一方の被固定部２ｅは、横幅方向におけるボトムプレート２ｂの一端部に設けられており、もう一方の被固定部２ｅは、横幅方向におけるボトムプレート２ｂの他端部に設けられている。
【００３５】
次に、デバイス２０の構成について説明する。デバイス２０は、図３に示すように、シート支持プレート３０、回動リンク４０、リンク支持プレート５０、ベースプレート５２及びモータ装置６０を主な構成機器として有する。以下、各機器について説明する。
【００３６】
シート支持プレート３０は、板状の支持部材に相当し、その上面にシート２を載せた状態でシート２を支持するものである。このシート支持プレート３０は、所定形状にカットされた金属板を図３に図示した形状となるように折り曲げることにより構成されている。
【００３７】
シート支持プレート３０の形状について説明すると、シート支持プレート３０は、前方部３１、後方部３２、隣接部３３、リンク取り付け部３４、固定部３５及びＬ字状部３６を有する。前方部３１は、シート支持プレート３０の前側部分に位置する部分である。そして、自動二輪車１の乗員がシート２に着座した際、前方部３１は、乗員の臀部の直下に位置する。つまり、前方部３１は、シート支持プレート３０において乗員の荷重（着座荷重）を受ける部分である。
【００３８】
より具体的に説明すると、前方部３１は、その上面３１ａ（高さ方向においてシート２の着座面２ａに近い側の端面）にてシート２のボトムプレート２ｂを支持する。なお、本実施形態において、前方部３１の上面３１ａは、平坦面であり、より厳密には高さ方向を法線方向とする平面（すなわち、水平面）となっている。このような構成であれば、乗員がシート２に着座した際に、前方部３１が乗員の荷重を適切に受け止めるようになる。なお、本実施形態では、前方部３１の上面３１ａが平坦面であることとしたが、これに限定されるものではなく、例えば湾曲面であってもよい。
【００３９】
後方部３２は、前後方向において前方部３１よりも後側に位置する部分である。また、後方部３２は、後方に向かうにつれて上方に位置するように（換言すると、シート２の着座面２ａに近付くように）傾斜している。したがって、後方部３２の上面３２ａ（高さ方向においてシート２の着座面２ａに近い側の端面）は、後方に向かうにつれて上方に位置するように傾斜した傾斜面となっている。このような構成であれば、自動二輪車１が走行している間において乗員の臀部が後方に移動するのを後方部３２により規制することができ、乗員の着座姿勢を安定させることが可能となる。
【００４０】
また、後方部３２は、前後方向において前方部３１と連続している。さらに、後方部３２は、前方部３１よりも幾分幅広となっている。したがって、互いに連続している前方部３１及び後方部３２は、図３に示すように上方視で略Ｔ字形となっている。
【００４１】
隣接部３３は、シート支持プレート３０において最も前側に位置した部分である。この隣接部３３は、前後方向において前方部３１よりも前側で前方部３１と隣接している。また、隣接部３３は、前後方向の前方に向かうにつれて上方に位置するように（換言すると、シート２の着座面２ａに近づくように）傾斜している。このような構成であれば、走行状態の自動二輪車１が減速した際に慣性により乗員の臀部が前方に移動するのを隣接部３３によって規制することができる。
【００４２】
リンク取り付け部３４は、回動リンク４０を取り付けるために横幅方向におけるシート支持プレート３０の両端部に設けられた部分であり、横幅方向における前方部３１の端位置から垂下している。このリンク取り付け部３４は、前後方向に延出しており、その前端部分及び後端部分（厳密には、後端よりもやや前側に位置する部分）に、回動リンク４０の回動軸を支持する部分が設けられている。
【００４３】
固定部３５は、シート２のボトムプレート２ｂに設けられた被固定部２ｅを固定しておくために形成された部分であり、シート支持プレート３０の後端部（厳密には、後方部３２の後端位置）に設けられている。本実施形態において、固定部３５は、横幅方向において互いに離れた位置に一対（２つ）設けられている。各固定部３５は、横幅方向において後方部３２の両端部に設けられている。固定部３５については後に詳しく説明する。
【００４４】
Ｌ字状部３６は、正面視で横向きＬ字状に屈曲した部分であり、シート支持プレート３０の後端部（後方部）において固定部３５よりも前方位置に設けられている。本実施形態において、Ｌ字状部３６は、横幅方向において互いに離れた位置に一対（２つ）設けられている。各Ｌ字状部３６は、横幅方向において後方部３２の両端部に設けられている。そして、各Ｌ字状部３６は、その上端面にてシート支持プレート３０の後端部の側縁部を支持する。
【００４５】
以上までに説明したシート支持プレート３０は、シート２の下方位置でシート２を支持する。また、シート支持プレート３０の横幅方向の両端部に設けられたリンク取り付け部３４には、回動リンク４０が組み付けられている。より詳しく説明すると、リンク取り付け部３４は、前方部３１の横幅方向の両端部に設けられている。また、前方部３１の横幅は、後方部３２の横幅よりも短くなっている。つまり、シート支持プレート３０中、回動リンク４０が取り付けられた前方部３１のサイズが、後方部３２のサイズよりも小さくなっている。この結果、本実施形態では、回動リンク４０が取り付けられた前方部３１の周辺が省スペース化（コンパクト化）されている。
【００４６】
また、シート支持プレート３０は、シート２を支持するために形成された部分を複数有している。より詳しく説明すると、ボトムプレート２ｂは、前述したように、２つの延出部（具体的には、爪状部２ｃ及び後側突起２ｄ）を有している。シート支持プレート３０には、上記の延出部と係合する係合部が、延出部と同じ数だけ形成されている。すなわち、本実施形態では、２つの係合部がシート支持プレート３０に形成されている。また、２つの係合部は、前後方向において異なる位置に形成されている。
【００４７】
具体的に説明すると、一つの係合部は、図３に図示の前側係合部３７である。この前側係合部３７は、ワイヤ部材により構成され、隣接部３３の上面の前端部に取り付けられている。具体的に説明すると、前側係合部３７を構成するワイヤ部材は、矩形波状に折り曲げられており、図３に示すように、横幅方向中央部に位置する部分が隣接部３３の上面から幾分浮き上がっている。そして、シート２をシート支持プレート３０に固定するにあたり、前側係合部３７が爪状部２ｃと係合する。具体的に説明すると、図５に示すように、前側係合部３７のうち、隣接部３３の上面から浮き上がっている部分と隣接部３３との隙間内に爪状部２ｃの先端部が差し込まれることで、前側係合部３７が爪状部２ｃと係合するようになる。
【００４８】
もう一方の係合部は、図３に図示の後側係合部３８である。この後側係合部３８は、シート支持プレート３０において前方部３１と後方部３２との境界部分に形成された矩形状の孔によって構成されている。そして、シート２をシート支持プレート３０に固定するにあたり、後側係合部３８が後側突起２ｄと係合する。具体的に説明すると、図５に示すように、後側係合部３８を構成する矩形状の孔に後側突起２ｄの先端部が差し込まれることで、後側係合部３８が後側突起２ｄと係合するようになる。
【００４９】
以上のように、本実施形態では、シート２をシート支持プレート３０に固定する際に上記２つの係合部をボトムプレート２ｂの延出部のうち、対応する延出部と係合させる。これにより、シート支持プレート３０に対してシート２を位置決めし、その上でシート２をシート支持プレート３０に固定することが可能となる。
【００５０】
また、シート支持プレート３０の後端部には、シート２を固定しておくために形成された固定部３５が設けられている。この固定部３５は、後方部３２の横幅方向両端から外側に延出した舌状の延出部であり、図３に示すように、互いに離れた位置に一対（２つ）設けられている。そして、各固定部３５には、ボトムプレート２ｂの後端部に２つ設けられた被固定部２ｅのうち、対応する被固定部２ｅが固定される。
【００５１】
より詳しく説明すると、図６に示すように、固定部３５の端面（後方を向いている端面）の上に被固定部２ｅが載せ置かれ、ネジ等の締結具によって固定部３５に被固定部２ｅが固定される。なお、本実施形態では、被固定部２ｅがラバーマウントＲを介して各固定部３５（対応する固定部３５）に固定されている。ラバーマウントＲは、弾性部材に相当し、自動二輪車１の車体３からシート２へ振動が伝達するのを抑制するために用いられる。
【００５２】
上記の固定構造について図６を参照しながら具体的に説明すると、被固定部２ｅに形成されたネジ孔に環状のラバーマウントＲが嵌合している。そして、固定部３５に被固定部２ｅを固定する際に、ラバーマウントＲの中央部に形成された貫通孔と、固定部３５に形成されたネジ孔とを連通させ、双方の孔にネジを挿入する。これにより、被固定部２ｅが固定部３５に固定される。そして、すべての被固定部２ｅが固定部３５に固定されることにより、シート２がシート支持プレート３０に固定されるようになる。
【００５３】
以上のように本実施形態では、シート２の被固定部２ｅとシート支持プレート３０の固定部３５との間にラバーマウントＲを介在させた状態で、被固定部２ｅが固定部３５に固定されている。これにより、自動二輪車１の走行中、車体３からシート２へ振動が伝達するのを抑制することが可能となり、結果として乗り心地が向上するようになる。
【００５４】
なお、シート２をシート支持プレート３０に固定する（取り付ける）ための仕組みや構造については、上述したものに限定されるものではない。シート支持プレート３０に対してシート２を好適に固定し得るものであれば、上記以外の仕組みや構造を利用してもよい。また、シート２を固定するためにシート支持プレート３０に形成された係合部や固定部に関し、その数や形成位置については、特に限定されるものではなく、任意に決めてもよい。
【００５５】
回動リンク４０は、所定形状に成形された板状部材からなり、シート２の位置を調整する際にシート支持プレート３０と一体的に回動する。図３を参照しながら回動リンク４０の構成について詳しく説明すると、回動リンク４０は、より前側に位置する前側リンク４１と、より後側に位置する後側リンク４２と、を有する。前側リンク４１及び後側リンク４２は、それぞれ、横幅方向において隙間を空けて一対（２個ずつ）配置されている。
【００５６】
また、前側リンク４１及び後側リンク４２は、それぞれ、シート支持プレート３０のリンク取り付け部３４及びリンク支持プレート５０に対して回動可能な状態で取り付けられている。具体的に説明すると、一対の前側リンク４１は、それぞれ、側方視でオーバル形状に延出した金属板片からなり、前側リンク４１同士の間に配置された前側連結パイプ４３によって連結されている。より厳密に説明すると、各前側リンク４１の上端部（延出方向一端部）には前側連結パイプ４３を挿通させるための円穴が形成され、その縁部には環状のブッシュが嵌合している。そして、ブッシュの貫通孔に前側連結パイプ４３の端部が嵌合することで、前側リンク４１同士が前側連結パイプ４３によって連結されている。
【００５７】
また、前側連結パイプ４３の端部は、前側リンク４１を貫通して前側リンク４１の外側に突出している。一方、リンク取り付け部３４の前端部には円穴が形成されており、この円穴に前側連結パイプ４３の端部中、前側リンク４１の外側に突出した部分が挿入されている。さらに、パイプ末端がフランジ加工されている。これにより、一対の前側リンク４１の各々は、前側連結パイプ４３を介してリンク取り付け部３４に取り付けられるようになる。また、前側連結パイプ４３は、リンク取り付け部３４に対して回動可能な状態でリンク取り付け部３４に組み付けられている。これにより、各前側リンク４１の上端部は、シート支持プレート３０と一体的に回動することが可能な状態でリンク取り付け部３４に支持されていることになる。
【００５８】
また、各前側リンク４１の下端部（リンク取り付け部３４に支持されている側とは反対側の端部）は、リンク支持プレート５０の側壁に対して相対回動可能な状態で当該側壁に支持されている。具体的に説明すると、各前側リンク４１の下端部には円穴が形成され、その縁部には環状のブッシュが嵌合している。そして、ブッシュの貫通孔にピボットピンＰが嵌合している。また、ブッシュの貫通孔に嵌合したピボットピンＰは、リンク支持プレート５０の側壁に固定されている。リンク支持プレート５０は、正面視で略Ｕ字状に成形された金属板からなる部材であり、底壁と底壁から立ち上がった一対の側壁を有する。
【００５９】
以上のように前側リンク４１の下端部は、上記のピボットピンＰを介してリンク支持プレート５０の側壁に支持されている。また、ピボットピンＰは、前側リンク４１の下端部に取り付けられたブッシュの内周面を摺動することが可能である。換言すると、前側リンク４１は、ピボットピンＰを回動軸として回動自在である。
【００６０】
以上に説明した支持構造と同様の構成により、一対の後側リンク４２がシート支持プレート３０のリンク取り付け部３４及びリンク支持プレート５０に対して回動可能な状態で取り付けられている。具体的に説明すると、一対の後側リンク４２は、その間に配置された後側連結パイプ４４によって連結されている。また、後側連結パイプ４４の端部は、後側リンク４２を貫通して後側リンク４２の外側に突出している。一方、リンク取り付け部３４の後端部には円穴が形成されており、この円穴に後側連結パイプ４４の端部中、後側リンク４２の外側に突出した部分が挿入されている。さらに、パイプ末端がフランジ加工されている。これにより、一対の後側リンク４２の各々は、後側連結パイプ４４を介してリンク取り付け部３４に取り付けられるようになる。
【００６１】
また、後側連結パイプ４４は、リンク取り付け部３４に対して回動可能な状態でリンク取り付け部３４に組み付けられている。これにより、各後側リンク４２の上端部は、シート支持プレート３０と一体的に回動することが可能な状態でリンク取り付け部３４に支持されていることになる。
【００６２】
また、各後側リンク４２の下端部（厳密には、リンク取り付け部３４に支持されている側とは反対側の端部）は、リンク支持プレート５０の側壁に対して相対回動可能な状態で当該側壁に支持されている。具体的に説明すると、各後側リンク４２の下端部には円穴が形成され、その縁部には環状のブッシュが嵌合している。ブッシュの貫通孔にはピボットピンＰが嵌合している。また、ブッシュの貫通孔に嵌合したピボットピンＰは、リンク支持プレート５０の側壁に固定されている。
【００６３】
以上のように後側リンク４２の下端部は、上記のピボットピンＰを介してリンク支持プレート５０の側壁に支持されている。また、ピボットピンＰは、後側リンク４２の下端部に取り付けられたブッシュの内周面を摺動することが可能である。換言すると、後側リンク４２は、ピボットピンＰを回動軸として回動自在である。
【００６４】
以上のように構成された前側リンク４１及び後側リンク４２は、横幅方向に沿う回転軸を中心にして一斉に回動する。この際、各回動リンク４０は、シート支持プレート３０を連れ回るように回動する。この結果、シート支持プレート３０及びシート支持プレート３０に支持されたシート２が回動リンク４０の回動方向と同方向に回動し、これにより、シート位置（シート高さ）が調整されるようになる。
【００６５】
なお、前側リンク４１及び後側リンク４２は、前述したように、シート支持プレート３０のリンク取り付け部３４に取り付けられている。リンク取り付け部３４は、リンク取り付け部３４の前方部３１と同じ位置（前方部３１の両脇）に配置されている。また、前方部３１は、乗員がシート２に着座している状態において当該乗員の臀部の直下に位置している。このような構成では、シート位置を調整する際、乗員の臀部が乗った前方部３１を回動リンク４０の回動動作に連動させて動かすことになる。これにより、シート位置の調整がより効率よく（スムーズに）行われることになる。
【００６６】
リンク支持プレート５０は、上述したように回動リンク４０が回動可能となるように回動リンク４０の下端部を支持するものである。なお、リンク支持プレート５０は、シート支持プレート３０の下方位置、より厳密には前方部３１の下方位置に配置されている。
【００６７】
ベースプレート５２は、デバイス２０を車体３の所定位置（シート取り付け位置）に固定するために設けられた土台であり、デバイス２０において最も下方に位置する。ベースプレート５２は、所定形状にカットされた金属板を図３に図示の形状となるように折り曲げることで構成されている。また、ベースプレート５２の横幅方向の端部には、舌状または矩形状に突出した突出部が複数設けられている。それぞれの突出部は、車体３の所定部位（具体的には、本来シート２を取り付けるために設けられた部分）と対向するように配置されている。また、各突出部にはネジ孔が形成されており、このネジ孔にネジが挿入され、当該ネジの先端部が車体３に締結される。これにより、ベースプレート５２を含むデバイス２０全体が車体３に固定されている。
【００６８】
モータ装置６０は、回動リンク４０を回動させるために駆動する装置である。このモータ装置６０は、２つの支持ロッド（詳しくは、前側支持ロッド６３及び後側支持ロッド６４）を介してリンク支持プレート５０に支持されている。具体的に説明すると、前側支持ロッド６３の両端のうち、一端にはモータ装置６０が固定され、他端がリンク支持プレート５０の側壁（一対の側壁のうちの一方）にボルト留めされている。また、後側支持ロッド６４の両端のうち、一端がリンク支持プレート５０の側壁（前側支持ロッド６３が固定されている側とは反対側の側壁）にボルト留め、他端にはモータ装置６０が固定されている。なお、リンク支持プレート５０の側壁の各々には、図３に示すように、支持ロッドを固定するためのロッド固定孔５０ａが形成されている。
【００６９】
また、モータ装置６０は、図３に示すように、モータ本体６１と、モータ本体６１の回転エネルギーを伝達するための伝達機構６２とを備えている。伝達機構６２は、モータ本体６１の回転に伴って回転するギア輪列（不図示）を有する。ギア輪列の最終段に設けられているギアは、ピニオンギアをなしており、セクタギアと噛み合っている。セクタギアは、一対の後側リンク４２のうちの一方に設けられており、厳密には、当該後側リンク４２と一体成形されている。
【００７０】
そして、モータ本体６１が回転すると、ピニオンギアとセクタギアとの噛み合い位置が変化し、これに伴って後側リンク４２が回動し、これに従動する形で残りの回動リンク（すなわち、セクタギアが設けられた後側リンク４２と対をなす後側リンク４２と、２つの前側リンク４１）が同じ向きに回動する。
【００７１】
＜＜シート装置１０の動作例＞＞
次に、以上までに説明してきたシート装置１０の動作例について説明する。シート装置１０において、モータ装置６０のモータ本体６１が回転すると、その回転エネルギーが伝達機構６２によって一方の後側リンク４２に伝達される。これにより、４つの回動リンク４０（すなわち、２つの前側リンク４１及び２つの後側リンク４２）がシート支持プレート３０と一体的に回動する。この結果、シート支持プレート３０に支持されたシート２が高さ方向に移動し、結果として、シート位置（シート高さ）が変化する。
【００７２】
以下、図７及び図８を参照しながら、シート２の移動動作について詳しく説明する。シート２は、図７に図示した位置から図８に図示した位置までの範囲内で移動する。換言すると、シート２の位置は、上記の範囲内で調整される。ここで、図７に図示したシート２の位置は、シート２の移動範囲において最も低い位置（最も下側にある位置）であり、以下では、第一位置と呼ぶ。図８に図示したシート２の位置は、シート２の移動範囲において最も高い位置（最も上側にある位置）であり、以下では、第二位置と呼ぶ。高さ方向において、第二位置は、第一位置よりも上方位置、換言すると、第一位置よりも自動二輪車１が接地している地面から離れた位置である。
【００７３】
また、シート２の位置が第一位置にあるとき、図７に示すように、前側リンク４１及び後側リンク４２の各々の状態が前傾状態にある。これに対し、シート２の位置が第二位置にあるとき、前側リンク４１及び後側リンク４２の各々の状態は、図８に示すように、シート２の位置が第一位置にあるときよりも前傾角度（傾き度合い）が小さくなった状態にある。つまり、シート２の位置が第一位置にあるときにモータ本体６１が回転すると、その時点で前傾状態にある各回動リンク４０が後方に回動し始める。そして、シート２の位置が第一位置から第二位置に向かうにつれて、各回動リンク４０の前傾角度が徐々に小さくなる。厳密には、前傾角度が徐々に小さくなるように各回動リンク４０の状態が漸次的に変化することで、シート２の位置が第一位置から第二位置に向かうようになる。
【００７４】
以上のように本実施形態では、回動リンク４０の回動動作に連動する形でシート２が移動し、これによってシート位置が調整される。つまり、本実施形態では、回動リンク４０を用いた比較的簡単な構成（すなわち、ハイトリンク機構）によりシート位置を調整することが可能である。
【００７５】
また、回動リンク４０の回動動作によってシート２が第一位置から第二位置に向かって移動する際、シート２は、斜め後方に向かって上昇する。すなわち、第二位置は、高さ方向において第一位置の上方位置であり、前後方向において第一位置の後方位置である。このような移動経路であれば、シート２が第一位置から第二位置に向かって移動する際に他の部材（具体的には、燃料タンクＴ等のようにシート２周辺に配置された部材）と干渉するのを抑制することが可能となる。
【００７６】
シート２が第一位置から第二位置に向かって移動する際の移動向きについては、上述した向き（つまり、斜め後方に上昇する向き）に限定されず、他の向きであってもよい。具体的に説明すると、第二位置が、高さ方向において第一位置の上方位置であり、前後方向において第一位置の前方位置に設定されてもよい。かかる構成（以下、変形例）では、回動リンク４０の回動動作（具体的には、各回動リンク４０の、後傾状態から前傾状態への状態変化）によって、図１４及び図１５に示すようにシート２が第一位置から第二位置に向かって斜め前方に上昇することになる。このとき、シート２は、その斜め上方に配置された燃料タンクＴに沿って移動する。このような構成であれば、燃料タンクＴとシート２との間のスペースを狭めることが可能となり、シート外観を良好なものとすることができる。図１４及び図１５は、変形例に係るシート位置調整についての説明図であり、図１４は、シート２が第一位置にあるときの図であり、図１５は、シート２が第二位置にあるときの図である。
【００７７】
上記の移動向きにてシート２を第一位置から第二位置へ移動させる場合、図１６及び図１７に図示のデバイス（以下、変形例に係るデバイス１２０）を用いることになる。図１６は、変形例に係るデバイス１２０の分解図であり、図３と対応した図である。図１７は、変形例に係るデバイス１２０を車体に取り付ける構成を示す図であり、図４と対応した図である。
【００７８】
変形例に係るデバイス１２０は、例えばセクタギアが後側リンク４２ではなく前側リンク４１に設けられている等、シート２の移動向きの違いに起因して多少の形状変化があるものの、基本的には、前述の構成（シート２が第一位置から第二位置に向かって斜め後方に上昇する構成）と同様の構成となっている。また、変形例に係るデバイス１２０を構成する各機器についても、回動リンク４０の回動向きが前後反転するように構成されている点を除き、前述の構成と同様の構造となっている。このため、図１６及び図１７に図示した変形例に係るデバイス１２０の構成部品については、前述した構成の中で対応する機器と同じ符号を付して示すこととした。
【００７９】
ところで、シート２が第一位置から第二位置へ移動したとき、第一位置及び第二位置の間のずれ量に応じた距離だけ、シート２が車体３から離間する。つまり、シート２と車体３との間の隙間が上記のずれ量に応じた分だけ増加する。このようにシート２と車体３との間の隙間が増加してしまうと、当該隙間を通じて異物が入り込んだり、当該隙間から車体３内部が見えてしまって外観性を損ねる虞がある。
【００８０】
これに対して、本実施形態では、シート２と車体３との間の隙間が増加したときに当該隙間を塞ぐことが可能な構成を採用している。具体的に説明すると、本実施形態では、シート２の前端及びこれと対向する部材（例えば燃料タンクＴ）の間に、隙間塞ぎ材７０が設けられている。この隙間塞ぎ材７０は、伸縮性を有する生地であり、シート２の前端及びこれと対向する部材の双方に留められている。
【００８１】
また、隙間塞ぎ材７０は、シート２が第一位置にあるときには、シート２の前端及びこれと対向する部材の間に挟まれた位置（図９中、実線に示す位置）に配置されている。そして、シート２が第一位置から第二位置に向かって移動すると、シート２の前端及びこれと対向する部材の間の隙間が前後方向において増加する。この際、伸縮性を有する隙間塞ぎ材７０は、図９中の破線で示すように、前後方向に伸長して上記の隙間を塞ぐ。これにより、前後方向において上記の隙間が増加したとしても、増加した隙間を覆うことにより、当該隙間がもたらす不具合を回避することが可能となる。
【００８２】
さらに、本実施形態では、図１０に示すように、シート２の後端部の側端（横幅方向の端面）にカバープレート７１が取り付けられている。このカバープレート７１は、高さ方向においてシート２の後端部及び当該後端部の直下に位置する部材（例えば、カウル）の間の隙間を覆い、シート２が移動する際にはシート２と一体的に移動する。また、カバープレート７１は、図１１に示すように、高さ方向においてカバープレート７１の下端がシート２の後端部の下端よりも幾分下側に位置するように配置されている。また、シート２が第一位置にあるとき、カバープレート７１は、高さ方向においてシート２の後端部及び当該後端部の直下に位置する部材を跨ぐ位置に配置されている。換言すると、シート２が第一位置にあるとき、カバープレート７１の下端は、シート２の後端部の直下に位置する部材（例えば、カウル）の上端よりも幾分下側に位置している。
【００８３】
一方、シート２が第一位置から第二位置に向かって移動すると、シート２の後端部及び当該後端部の直下に位置する部材の間の隙間が高さ方向において増加する。このとき、カバープレート７１は、シート２と共に上昇するが、カバープレート７１の下端は、依然としてシート２の後端部の直下に位置する部材の上端よりも下方に位置している。つまり、シート２が第二位置にあるときにも、カバープレート７１は、高さ方向においてシート２の後端部及び当該後端部の直下に位置する部材（例えば、カウル）を跨ぐ位置にある。この結果、シート２の後端部及び当該後端部の直下に位置する部材の間の隙間が増加したとしても、当該隙間は、側方からカバープレート７１によって覆われるようになる。これにより、高さ方向において上記の隙間が増加したとしても、増加後の隙間を覆うことができ、結果として、当該隙間がもたらす不具合を回避することが可能となる。特に、雨天時に雨水が上記の隙間を通じて浸入するのを抑制することが可能となる。
【００８４】
なお、シート２とシート２の前方に位置する機器との間の隙間を塞ぐ部材として、前述の隙間塞ぎ部材７０の代わりに、図１８に図示した第二のカバープレート（以下、前方カバープレート７２）を用いてもよい。図１８は、シート２及びその周辺機器（具体的には、燃料タンクＴ）の構成を示す図である。
【００８５】
前方カバープレート７２は、シート２の前端部とシート２の直前位置にある燃料タンクＴとの間に配置されている。前方カバープレート７２は、図１８に示すように略Ｕ字状に屈曲しており、燃料タンクＴの後端部に取り付けられている。シート２が第一位置にある状態では、前後方向において燃料タンクＴとシート２との間に前方カバープレート７２が位置している。このとき、シート２の前端部は、前方カバープレート７２と隣り合っている。つまり、シート２が第一位置にあるとき、シート２の前端部は、上下方向において燃料タンクＴの後端部と重なる位置にある。
【００８６】
一方、シート２が第一位置から第二位置に向かって移動すると、シート２が上昇し、これに伴って、シート２の前端部と燃料タンクＴの後端部との間の隙間が増加する。そして、シート２が第二位置に到達した時点においても、尚、シート２の前端部が上下方向において前方カバープレート７２と隣り合っている。これにより、シート２が第二位置にある状態においても、前方カバープレート７２が上下方向においてシート２と燃料タンクＴとの間の隙間を塞いでいる。この結果、シート２の前端部と燃料タンクＴの後端部との間の隙間が増加したとしても、増加後の隙間を前方カバープレート７２によって覆うことができ、当該隙間がもたらす不具合を回避することが可能となる。
なお、前方カバープレート７２は、シート２が第一位置から第二位置に向かう際に斜め後方に上昇する構成、及び、シート２が第一位置から第二位置に向かう際に斜め前方に上昇する構成のいずれにも適用可能である。
【００８７】
＜＜シート装置１０の制御例＞＞
次に、シート装置１０の制御例について説明する。先ず、シート装置１０の制御例を説明するにあたり、シート装置１０を制御するために用いられる制御機構について図１２及び図１３を参照しながら説明する。
【００８８】
上記の制御機構は、図１２に示すように、コントローラとしてのＥＣＵ（Ｅｌｅｃｔｒｏｎｉｃ Ｃｏｎｔｒｏｌ Ｕｎｉｔ）８０を備えている。このＥＣＵ８０は、車体３の所定箇所に備え付けられており、自動二輪車１の走行速度に応じてシート２の位置を自動制御する。より具体的に説明すると、ＥＣＵ８０は、自動二輪車１の走行速度に応じてモータ装置６０を制御する。これにより、回動リンク４０の回動向き及び回動量が制御され、結果として、シート位置（シート高さ）が自動二輪車１の走行速度に応じた位置に調整される。
【００８９】
さらに詳しく説明すると、上記の制御機構は、自動二輪車１の走行速度をモニタリングしており、具体的には走行速度検知用のセンサ８１を備えている。このセンサ８１は、走行速度を検知すると、その検知結果に応じた信号を出力する。ＥＣＵ８０は、センサ８１からの出力信号を受信すると、当該信号からセンサ８１の検知結果（すなわち、自動二輪車１の走行速度）を特定する。
【００９０】
走行速度の特定後、ＥＣＵ８０は、特定した走行速度と、ＥＣＵ８０に予め記憶された閾値とを比較する。ここで、閾値は２種類あり、一つは、シート２を第二位置に向けて移動させる動作（上昇動作）を実行するか否かを判断する際に用いられる閾値であり、以下、走行時用閾値と呼ぶ。もう一つの閾値は、シート２を第一位置に向けて移動させる動作（下降動作）を実行するか否かを判断する際に用いる閾値であり、以下、減速時用閾値と呼ぶ。
【００９１】
上記２つの閾値について一例を挙げて説明すると、走行時用閾値は、時速７０〜９０ｋｍの範囲で設定され、本実施形態では時速８０ｋｍに設定されている。また、減速時用閾値は、時速３０〜５０ｋｍの範囲で設定され、本実施形態では時速４０ｋｍに設定されている。なお、走行時用閾値及び減速時用閾値については、いずれも上記の値に限定されるものではなく、任意の値に設定することが可能である。
【００９２】
また、本実施形態では、各閾値が事後的に変更可能である。具体的に説明すると、自動二輪車１の所定箇所には不図示の入力手段が搭載されており、かかる入力手段が乗員による閾値の変更操作を受け付けると、ＥＣＵ８０によって閾値が変更後の値へ更新される。このように事後的に閾値を変更することが可能であれば、ユーザ（乗員）の好みに合わせて制御条件が設定されるようになる。
【００９３】
そして、ＥＣＵ８０は、図１３に図示の流れに従ってモータ装置６０を制御する。具体的に説明すると、自動二輪車１には不図示の操作パネルに搭載されており、この操作パネルには、乗員によりオンオフ操作される操作スイッチ８２が備えられている。ＥＣＵ８０は、操作スイッチ８２のオンオフに応じて、シート位置調整の実行の有無を切り替える。本実施形態では、操作スイッチ８２がオンであるときにのみ、ＥＣＵ８０は、モータ装置６０を制御する。すなわち、操作スイッチ８２がオンであるときにのみシート位置調整が実行され、操作スイッチ８２がオフであるときには実行されない。このように本実施形態では、シート位置調整の実行の有無が操作スイッチ８２の操作によって自在に切り替え可能であるので、乗員は、自分の意思でシート位置調整の実行の有無を指定することが可能となる。
【００９４】
そして、操作スイッチ８２がオンであるとき（Ｓ００１でＹｅｓ）、ＥＣＵ８０は、走行速度を各閾値と対比して所定の条件を満たしているときに、モータ装置６０を制御してシート位置を調整する。詳しく説明すると、自動二輪車１が停止状態から走行状態に移行すると、ＥＣＵ８０は、センサ８１からの出力信号に基づいて自動二輪車１の走行速度を特定する（Ｓ００２）。そして、特定した走行速度が走行時用閾値以上となると（Ｓ００３でＹｅｓ）、ＥＣＵ８０は、シート２が上昇動作を開始するようにモータ装置６０を制御する（Ｓ００４）。これにより、シート２が第一位置から第二位置に向かって移動し始める。そして、ＥＣＵ８０は、シート２が第二位置に達した時点でモータ装置６０を停止する。
【００９５】
一方、自動二輪車１が減速したとき、ＥＣＵ８０は、自動二輪車１の走行速度を特定し（Ｓ００５）、特定した走行速度が減速時用閾値以下となると（Ｓ００６でＹｅｓ）、シート２が下降動作を開始するようにモータ装置６０を制御する（Ｓ００７）。これにより、シート２が第二位置から第一位置に向かって移動する。なお、本実施形態において、ＥＣＵ８０は、走行速度が所定速度まで減速した時点、厳密には自動二輪車１が停止した時点でシート２が第一位置に到達するようにモータ装置６０を制御する。
【符号の説明】
【００９６】
１  自動二輪車（乗物）
２  シート
２ａ  着座面
２ｂ  ボトムプレート
２ｃ  爪状部（延出部）
２ｄ  後側突起（延出部）
２ｅ  被固定部
３  車体
１０  シート装置
２０  デバイス（位置調整装置）
３０  シート支持プレート（支持部材）
３１  前方部
３１ａ  上面（平坦面）
３２  後方部
３２ａ  上面（傾斜面）
３３  隣接部
３４  リンク取り付け部
３５  固定部
３６  Ｌ字状部
３７  前側係合部（係合部）
３８  後側係合部（係合部）
４０  回動リンク
４１  前側リンク
４２  後側リンク
４３  前側連結パイプ
４４  後側連結パイプ
５０  リンク支持プレート
５０ａ  ロッド固定孔
５２  ベースプレート
６０  モータ装置
６１  モータ本体
６２  伝達機構
６３  前側支持ロッド
６４  後側支持ロッド
７０  隙間塞ぎ材
７１  カバープレート
７２  前方カバープレート
８０  ＥＣＵ
８１  センサ
８２  操作スイッチ
１２０  変形例に係るデバイス（位置調整装置）
Ｐ  ピボットピン
Ｒ  ラバーマウント（弾性部材）
Ｔ  燃料タンク
【図１】
2019038508.tif 000003
【図２】
2019038508.tif 000004
【図３】
2019038508.tif 000005
【図４】
2019038508.tif 000006
【図５】
2019038508.tif 000007
【図６】
2019038508.tif 000008
【図７】
2019038508.tif 000009
【図８】
2019038508.tif 000010
【図９】
2019038508.tif 000011
【図１０】
2019038508.tif 000012
【図１１】
2019038508.tif 000013
【図１２】
2019038508.tif 000014
【図１３】
2019038508.tif 000015
【図１４】
2019038508.tif 000016
【図１５】
2019038508.tif 000017
【図１６】
2019038508.tif 000018
【図１７】
2019038508.tif 000019
【図１８】
2019038508.tif 000020